(57)【要約】本発明は、複数のプログレッシブスキャンのオリジナルピクチャを含むビデオ信号でトリックモードを実行する方法（２００または３００）およびシステム（１００）に関する。本方法（２００）は、トリックモードコマンドに応じて、少なくとも１つのオリジナルピクチャを選択的に繰り返し（２１４）てビデオ信号をトリックモードのビデオ信号に変換するステップと、そのトリックモードビデオ信号に少なくとも１つのダミーの双方向予測ピクチャを選択的に挿入する（２１６）ステップとを含む。また、本方法（３００）は、ビットレートが所定の閾値を超えたとき、ダミーの双方向予測ピクチャが選択的に挿入されるように、トリックモードビデオ信号をモニターする（３１６）ステップを含んでもよい。トリックモードビデオ信号のピクチャを修正して（２２０、３２８）、表示順序を意図したようにすることもできる。
2005533436.tif 000002
【特許請求の範囲】
【請求項１】
プログレッシブスキャンの複数のオリジナルピクチャを含むビデオ信号にトリックモードを実行する方法であって、
トリックモードコマンドに応じて、少なくとも１つの前記オリジナルピクチャを選択的に繰り返し、前記ビデオ信号をトリックモードビデオ信号に変換するステップと、
少なくとも１つのダミー双方向予測ピクチャを前記トリックモードビデオ信号に選択的に挿入するステップとを有することを特徴とする方法。
【請求項２】
請求項１に記載の方法であって、
前記トリックモードビデオ信号をモニターするステップをさらに有し、
少なくとも１つのダミー双方向予測ピクチャを前記トリックモードビデオ信号に選択的に挿入する前記ステップは、前記トリックモードビデオ信号のビットレートが所定の閾値を超えたときに実行されることを特徴とする方法。
【請求項３】
請求項１に記載の方法であって、
前記複数のオリジナルピクチャはディスプレイインジケータを含み、
前記方法は、オリジナルピクチャが繰り返されるとき、またはダミー双方向予測ピクチャが前記トリックモードビデオ信号に挿入されるとき、前記複数のオリジナルピクチャの少なくとも一部の前記ディスプレイインジケータを選択的に変更し、意図された表示順序を反映させるステップをさらに有することを特徴とする方法。
【請求項４】
請求項３に記載の方法であって、前記ディスプレイインジケータは時間的参照フィールドであることを特徴とする方法。
【請求項５】
請求項４に記載の方法であって、
各時間的参照フィールドは整数値を有し、
前記複数のオリジナルピクチャの少なくとも一部の前記時間的参照フィールドを選択的に変更する前記ステップは、オリジナルピクチャが繰り返されるたびに、およびダミー双方向予測ピクチャが前記トリックモードビデオ信号に挿入されるたびに、前記時間的参照フィールドの前記整数値を１ずつ増加させるステップを有することを特徴とする方法。
【請求項６】
請求項１に記載の方法であって、各ダミー双方向予測ピクチャは参照ピクチャから予測されることを特徴とする方法。
【請求項７】
請求項１に記載の方法であって、各ダミー双方向予測ピクチャは一方向予測ピクチャであることを特徴とする方法。
【請求項８】
請求項６に記載の方法であって、前記参照ピクチャはイントラピクチャであることを特徴とする方法。
【請求項９】
請求項６に記載の方法であって、前記参照ピクチャは予測ピクチャであることを特徴とする方法。
【請求項１０】
請求項１に記載の方法であって、前記トリックモードビデオ信号の少なくとも一部はリモートデコーダで復号されることを特徴とする方法。
【請求項１１】
リモートデコーダ構成における、プログレッシブスキャンの複数のオリジナルピクチャを含むビデオ信号にトリックモードを実行する方法であって、
前記プログレッシブスキャンの複数のオリジナルピクチャの各々はディスプレイインジケータを含み、
トリックモードコマンドに応じて、少なくとも１つの前記オリジナルピクチャを選択的に繰り返し、前記ビデオ信号をトリックモードビデオ信号に変換するステップと、
前記トリックモードビデオ信号のビットレートをモニターするステップと、
前記ビットレートが所定の閾値を超えたとき、少なくとも１つのダミー双方向予測ピクチャを前記トリックモードビデオ信号に選択的に挿入するステップと、
オリジナルピクチャが繰り返されるとき、またはダミー双方向予測ピクチャが前記トリックモードビデオ信号に挿入されるとき、前記複数のオリジナルピクチャの少なくとも一部の前記ディスプレイインジケータを選択的に変更し、意図された表示順序を反映させるステップとを有することを特徴とする方法。
【請求項１２】
プログレッシブスキャンの複数のオリジナルピクチャを含むビデオ信号にトリックモードを実行する方法であって、
前記プログレッシブスキャンの複数のオリジナルピクチャの各々はディスプレイインジケータを含み、前記方法は、
トリックモードコマンドに応じて、少なくとも１つの前記オリジナルピクチャを選択的に繰り返し、前記ビデオ信号をトリックモードビデオ信号に変換するステップと、
オリジナルピクチャが繰り返されるたびに、前記複数のオリジナルピクチャの少なくとも一部の前記ディスプレイインジケータを選択的に変更し、意図された表示順序を反映させるステップを有することを特徴とする方法。
【請求項１３】
請求項１２に記載の方法であって、前記トリックモードビデオ信号の少なくとも一部はリモートデコーダにより復号されることを特徴とする方法。
【請求項１４】
プログレッシブスキャンの複数のオリジナルピクチャを含むビデオ信号にトリックモードを実行する方法であって、
トリックモードコマンドを受信するステップと、
少なくとも１つのダミー双方向予測ピクチャを前記ビデオ信号に選択的に挿入してトリックモードビデオ信号を形成するステップとを有することを特徴とする方法。
【請求項１５】
請求項１４に記載の方法であって、
前記複数のオリジナルピクチャの各々はディスプレイインジケータを含み、
前記方法は、前記選択的に挿入するステップが実行されるたびに、前記複数のオリジナルピクチャの少なくとも一部の前記ディスプレイインジケータを選択的に変更し、意図された表示順序を反映させるステップを有することを特徴とする方法。
【請求項１６】
請求項１５に記載の方法であって、前記ディスプレイインジケータは時間的参照フィールドであることを特徴とする方法。
【請求項１７】
請求項１６に記載の方法であって、
各時間的参照フィールドは整数値を有し、
前記複数のオリジナルピクチャの少なくとも一部の前記時間的参照フィールドを選択的に変更するステップは、前記選択的に挿入するステップが実行されるたびに、前記時間的参照フィールドの前記整数値を１だけ増加させるステップを有することを特徴とする方法。
【請求項１８】
請求項１４に記載の方法であって、各ダミー双方向予測ピクチャは一方向予測ピクチャであることを特徴とする方法。
【請求項１９】
請求項１４に記載の方法であって、前記トリックモードビデオ信号の少なくとも一部はリモートデコーダにより復号されることを特徴とする方法。
【請求項２０】
デジタル符号化信号を復号する方法であって、
前記デジタル符号化信号を離して設置されたデコーダに送信するステップと、
前記デジタル符号化信号の少なくとも一部を前記デコーダで復号するステップとを有し、
前記デジタル符号化信号は少なくともダミー双方向予測ピクチャと、およびイントラピクチャ、予測ピクチャ、双方向予測ピクチャよりなるグループから選択された付加的ピクチャとを含むことを特徴とする方法。
【請求項２１】
プログレッシブスキャンの複数のオリジナルピクチャを含むビデオ信号にトリックモードを実行するシステムであって、
記憶媒体からデータを読出し、前記複数のオリジナルピクチャを含む前記ビデオ信号を生成するコントローラと、
プロセッサとを有し、前記プロセッサは、
トリックモードコマンドに応じて、少なくとも１つの前記オリジナルピクチャを選択的に繰り返し、前記ビデオ信号をトリックモードビデオ信号に変換し、
少なくとも１つのダミー双方向予測ピクチャを前記トリックモードビデオ信号に選択的に挿入するするようにプログラムされていることを特徴とするシステム。
【請求項２２】
請求項２１に記載のシステムであって、前記ビデオプロセッサは、
前記トリックモードビデオ信号をモニターし、
前記トリックモードビデオ信号のビットレートが所定の閾値を超えたとき、少なくとも１つのダミー双方向予測ピクチャを前記トリックモードビデオ信号に選択的に挿入するようにさらにプログラムされていることを特徴とするシステム。
【請求項２３】
請求項２１に記載のシステムであって、
前記複数のオリジナルピクチャの各々はディスプレイインジケータを含み、
前記ビデオプロセッサは、オリジナルピクチャが繰り返されるとき、およびダミー双方向予測ピクチャが前記トリックモードビデオ信号に挿入されるとき、前記複数のオリジナルピクチャの少なくとも一部の前記ディスプレイインジケータを選択的に変更し、意図された表示順序を反映させるようにさらにプログラムされていることを特徴とするシステム。
【請求項２４】
請求項２３に記載のシステムであって、前記ディスプレイインジケータは時間的参照フィールドであることを特徴とするシステム。
【請求項２５】
請求項２４に記載のシステムであって、
各時間的参照フィールドは整数値を有し、
前記複数のオリジナルピクチャの少なくとも一部の前記時間的参照フィールドを選択的に変更する前記ステップは、オリジナルピクチャが繰り返されるたびに、およびダミー双方向予測ピクチャが前記トリックモードビデオ信号に挿入されるときに、前記時間的参照フィールドの前記整数値を１ずつ増加させるステップを有することを特徴とするシステム。
【請求項２６】
請求項２１に記載のシステムであって、各ダミー双方向予測ピクチャは参照ピクチャから予測されることを特徴とするシステム。
【請求項２７】
請求項２１に記載のシステムであって、各ダミー双方向予測ピクチャは一方向予測ピクチャであることを特徴とするシステム。
【請求項２８】
請求項２６に記載のシステムであって、前記参照ピクチャはイントラピクチャであることを特徴とするシステム。
【請求項２９】
請求項２６に記載のシステムであって、前記参照ピクチャは予測ピクチャであることを特徴とするシステム。
【請求項３０】
請求項２１に記載のシステムであって、前記トリックモードビデオ信号の少なくとも一部をリモートで復号するリモートデコーダをさらに有することを特徴とするシステム。
【請求項３１】
プログレッシブスキャンの複数のオリジナルピクチャを含むビデオ信号をリモートデコーダシステムに供給し、前記ビデオ信号にトリックモードを実行する再生装置であって、
前記プログレッシブスキャンの複数のオリジナルピクチャの各々はディスプレイインジケータを含み、
前記装置は、
記憶媒体からデータを読出し、前記複数のオリジナルピクチャを含む前記ビデオ信号を生成するコントローラと、
プロセッサとを有し、前記プロセッサは、
トリックモードコマンドに応じて、少なくとも１つの前記オリジナルピクチャを選択的に繰り返し、前記ビデオ信号をトリックモードビデオ信号に変換し、
前記トリックモードビデオ信号のビットレートをモニターし、
前記ビットレートが所定の閾値を超えたとき、少なくとも１つのダミー双方向予測ピクチャを前記トリックモードビデオ信号に選択的に挿入し、
オリジナルピクチャが繰り返されるとき、またはダミー双方向予測ピクチャが前記トリックモードビデオ信号に挿入されるとき、前記複数のオリジナルピクチャの少なくとも一部の前記ディスプレイインジケータを選択的に変更し、意図された表示順序を反映させるようにプログラムされていることを特徴とするシステム。
【請求項３２】
プログレッシブスキャンの複数のオリジナルピクチャを含むビデオ信号にトリックモードを実行する方法であって、
前記プログレッシブスキャンの複数のオリジナルピクチャの各々はディスプレイインジケータを含み、前記システムは、
記憶媒体からデータを読出し、前記複数のオリジナルピクチャを含む前記ビデオ信号を生成するコントローラと、
プロセッサとを有し、前記プロセッサは、
トリックモードコマンドに応じて、少なくとも１つの前記オリジナルピクチャを選択的に繰り返し、前記ビデオ信号をトリックモードビデオ信号に変換し、
オリジナルピクチャが繰り返されるたびに、前記複数のオリジナルピクチャの少なくとも一部の前記ディスプレイインジケータを選択的に変更するようにプログラムされていることを特徴とするシステム。
【請求項３３】
請求項３２に記載のシステムであって、リモートデコーダをさらに有し、前記リモートデコーダは前記トリックモードビデオ信号の少なくとも一部を復号することを特徴とするシステム。
【請求項３４】
プログレッシブスキャンの複数のオリジナルピクチャを含むビデオ信号にトリックモードを実行するシステムであって、
記憶媒体からデータを読出し、前記複数のオリジナルピクチャを含む前記ビデオ信号を生成するコントローラと、
ビデオプロセッサとを有し、前記ビデオプロセッサは、
トリックモードコマンドを受信し、
少なくとも１つのダミー双方向予測ピクチャを前記ビデオ信号に選択的に挿入してトリックモードビデオ信号を形成するようにプログラムされていることを特徴とするシステム。
【請求項３５】
請求項３４に記載のシステムであって、
前記複数のオリジナルピクチャの各々はディスプレイインジケータを含み、
前記プロセッサは、前記選択的に挿入するステップを実行するたびに、前記複数のオリジナルピクチャの少なくとも一部の前記ディスプレイインジケータを選択的に変更し、意図された表示順序を反映させるようにさらにプログラムされていることを特徴とするシステム。
【請求項３６】
請求項３５に記載のシステムであって、前記ディスプレイインジケータは時間的参照フィールドであることを特徴とするシステム。
【請求項３７】
請求項３５に記載のシステムであって、
各時間的参照フィールドは整数値を有し、
前記プロセッサは、前記選択的に挿入するステップを実行するたびに、前記時間的参照フィールドの前記整数値を１だけ増加させることにより、前記複数のオリジナルピクチャの少なくとも一部の前記時間的参照フィールドを選択的に変更するようにさらにプログラムされていることを特徴とするシステム。
【請求項３８】
請求項３４に記載のシステムであって、各ダミー双方向予測ピクチャは一方向予測ピクチャであることを特徴とするシステム。
【請求項３９】
請求項３４に記載のシステムであって、リモートデコーダをさらに有し、前記リモートデコーダは前記トリックモードビデオ信号の少なくとも一部を復号することを特徴とするシステム。
【請求項４０】
デジタル符号化信号を復号するシステムであって、
離れて設置されたデコーダと、
前記デジタル符号化信号を前記デコーダに送信する送信チャンネルとを有し、
前記デコーダは前記デジタル符号化信号の少なくとも一部を復号し、
前記デジタル符号化信号は少なくともダミー双方向予測ピクチャと、およびイントラピクチャ、予測ピクチャ、双方向予測ピクチャよりなるグループから選択された付加的ピクチャとを含むことを特徴とするシステム。
【発明の詳細な説明】
【技術分野】
【０００１】
本発明の構成はビデオシステムに関し、特にデジタル符号化されたビデオシーケンスを記録または再生するビデオシステムに関する。
【背景技術】
【０００２】
今日、コンシューマエレクトロニクス市場においてはデジタルテレビジョン（DTV）およびハイデフィニションテレビジョン（HDTV）の人気が高まりつつある。こうしたタイプのテレビジョン製品の購買者の多くが、デジタルビデオディスク（DVD）レコーダやプレーヤ等のデジタルビデオレコーダやプレーヤを購入する。予め記録されたプログラミングを見たり、自分が好きなプログラムを記録したりすることが目的である。DTV（またはHDTV）とデジタルビデオレコーダまたはプレーヤの組み合わせは、ホームシアターエンターテイメントシステムの絶対不可欠な一部であることは明らかである。
【０００３】
デジタルビデオレコーダまたはプレーヤは、一般的に、ムービングピクチャエキスパートグループ（MPEG）デコーダを含んでおり、そのレコーダまたはプレーヤが再生するディスクに格納された、デジタルで符号化されたマルチメディアデータを復号する。デジタルビデオレコーダまたはプレーヤが従来の（DTVやHDTVでない）テレビジョンディスプレイデバイスに接続されたとき、デジタル符号化信号は、その従来のテレビジョンディスプレイに表示される前に、デジタルビデオレコーダまたはプレーヤのMPEGデコーダで復号される。しかし、重要なことは、多数のDTVはその中にMPEGデコーダを含んでいることである。デジタルビデオレコーダまたはプレーヤの大半にあるMPEGデコーダは、ビデオ信号を復号するテレビジョンレシーバの厳しい要求に対応できないからである。そこで、デジタルビデオレコーダまたはプレーヤがDTVに接続されているときは、ディスクから読み出されたビデオ信号は、そのレコーダまたはプレーヤから離れた（リモートの）DTVのデコーダで復号される。この構成は、リモートデコーダ構成と呼ぶ。
【０００４】
しかし、デジタル符号化された信号をリモートDTVデコーダで復号することには、大きな不利益が伴う。すなわち、このタイプの構成では、トリックモードを実行することが非常に難しい。トリックモードとは、ノーマルスピード以外の速さ、またはフォワード方向以外の方向でビデオまたはオーディオ信号を再生することである。トリックモードでは、スローモーショントリックモードのように、ビデオ信号中の多数のピクチャを繰り返すことが頻繁にある。しかし、デジタルビデオレコーダまたはプレーヤとデジタルテレビジョンディスプレイ間の帯域幅には限りがあるので、ディスプレイに送られる信号中でピクチャを繰り返すと、送信チャンネルの最大ビットレートの制限を越えてしまう。ピクチャがイントラ（I）ピクチャまたは予測（P）ピクチャのとき、問題はもっと深刻である。これらのピクチャの符号化にはより多くのビットが一般的に使われているからである。このように、最大ビットレートの制限を越えないで、かつシステムのコストを高くしたりシステムを複雑にすることなく、リモートデコーダ構成でトリックモードを実行する方法およびシステムに対するニーズがある。
【発明の開示】
【課題を解決するための手段】
【０００５】
本発明は、プログレッシブスキャンの複数のオリジナルピクチャを含むビデオ信号にトリックモードを実行する方法に関する。本方法は、トリックモードコマンドに応じて、少なくとも１つの前記オリジナルピクチャを選択的に繰り返し、前記ビデオ信号をトリックモードビデオ信号に変換するステップと、少なくとも１つのダミー双方向予測ピクチャを前記トリックモードビデオ信号に選択的に挿入するステップとを有する。本方法は、前記トリックモードビデオ信号をモニターするステップと、前記トリックモードビデオ信号のビットレートが所定の閾値を超えたとき、少なくとも１つのダミー双方向予測ピクチャを前記トリックモードビデオ信号に選択的に挿入するステップとを有してもよい。
【０００６】
一構成において、前記複数のオリジナルピクチャはディスプレイインジケータを含み、前記方法は、オリジナルピクチャが繰り返されるとき、またはダミー双方向予測ピクチャが前記トリックモードビデオ信号に挿入されるとき、前記複数のオリジナルピクチャの少なくとも一部の前記ディスプレイインジケータを選択的に変更し、意図された表示順序を反映させるステップをさらに有する。前記ディスプレイインジケータは時間的参照フィールドであってもよい。また、各時間的参照フィールドは整数値を有してもよく、前記複数のオリジナルピクチャの少なくとも一部の前記時間的参照フィールドを選択的に変更する前記ステップは、オリジナルピクチャが繰り返されるたびに、およびダミー双方向予測ピクチャが前記トリックモードビデオ信号に挿入されるたびに、前記時間的参照フィールドの前記整数値を１ずつ増加させるステップを有すしてもよい。
【０００７】
一構成において、各ダミー双方向予測ピクチャは参照ピクチャから予測される。また、各ダミー双方向予測ピクチャは一方向予測ピクチャであってもよい。さらに、前記参照ピクチャはイントラピクチャまたは予測ピクチャであってもよい。他の構成において、前記トリックモードビデオ信号の少なくとも一部はリモートデコーダで復号される。
【０００８】
本発明は、プログレッシブスキャンの複数のオリジナルピクチャを含むビデオ信号にトリックモードを実行する方法であって、前記プログレッシブスキャンの複数のオリジナルピクチャの各々はディスプレイインジケータを含むものにも関する。本方法は、
トリックモードコマンドに応じて、少なくとも１つの前記オリジナルピクチャ選択的に繰り返し、前記ビデオ信号をトリックモードビデオ信号に変換するステップと、
オリジナルピクチャが繰り返されるたびに、前記複数のオリジナルピクチャの少なくとも一部の前記ディスプレイインジケータを選択的に変更するステップとを有する。また、この実施形態のトリックモードヴィデオ信号の少なくとも一部をリモートデコーダで復号してもよい。
【０００９】
また、本発明は、プログレッシブスキャンの複数のオリジナルピクチャを含むビデオ信号にトリックモードを実行する他の方法であって、トリックモードコマンドを受信するステップと、少なくとも１つのダミー双方向予測ピクチャを前記ビデオ信号に選択的に挿入してトリックモードビデオ信号を形成するステップとを有することを特徴とする方法にも関する。この方法の一態様において、前記複数のオリジナルピクチャの各々はディスプレイインジケータを含み、前記方法は、前記選択的に挿入するステップが実行されるたびに、前記複数のオリジナルピクチャの少なくとも一部の前記ディスプレイインジケータを選択的に変更し、意図された表示順序を反映させるステップを有する。また、前記ディスプレイインジケータは時間的参照フィールドであってもよく、各時間的参照フィールドは整数値を有し、前記複数のオリジナルピクチャの少なくとも一部の前記時間的参照フィールドを選択的に変更するステップは、前記選択的に挿入するステップが実行されるたびに、前記時間的参照フィールドの前記整数値を１だけ増加させるステップを有してもよい。また、各ダミー双方向予測ピクチャは一方向予測ピクチャであってもよく、前記トリックモードビデオ信号の少なくとも一部はリモートデコーダにより復号されてもよい。
【００１０】
本発明は、デジタル符号化信号を復号する他の方法にも関する。この方法は、前記デジタル符号化信号を離して設置されたデコーダに送信するステップと、前記デジタル符号化信号の少なくとも一部を前記デコーダで復号するステップとを有する。この方法においては、前記デジタル符号化信号は少なくともダミー双方向予測ピクチャと付加的ピクチャとを含み、その付加的ピクチャは、イントラピクチャ、予測ピクチャ、双方向予測ピクチャよりなるグループから選択することができる。
【００１１】
本発明は、プログレッシブスキャンの複数のオリジナルピクチャを含むビデオ信号にトリックモードを実行するシステムにも関する。本システムは、記憶媒体からデータを読出し、前記複数のオリジナルピクチャを含む前記ビデオ信号を生成するコントローラと、プロセッサとを有し、前記プロセッサは、トリックモードコマンドに応じて、少なくとも１つの前記オリジナルピクチャを選択的に繰り返し、前記ビデオ信号をトリックモードビデオ信号に変換し、少なくとも１つのダミー双方向予測ピクチャを前記トリックモードビデオ信号に選択的に挿入するするようにプログラムされている。本システムは、好適なソフトウェアと回路も含み、上で説明した方法を実施する。
【発明を実施するための最良の形態】
【００１２】
本発明の構成による様々な高度な動作機能を実施するシステム１００が、図１のブロック図に示されている。しかし、本発明は図１に示された特定のシステムに限定されるものではない。本発明は、デジタル符号化された信号を受信しその信号をディスプレイデバイスに送信することができる他のいかなるシステムにも適用することができるからである。また、本システム１００は、いかなるタイプの記憶媒体からデータを読出し、または記憶媒体にデータを書きこむことに限定されるものではない。デジタル符号化されたデータを記憶できる記憶媒体ならいかなるものであっても、システム１００で使用できるからである。
【００１３】
システム１００は記憶媒体１１２からデータを読出したり、記憶媒体１１２にデータを書き込んだりするコントローラ１１０を含む。システム１００は、検索エンジン１１４、マイクロプロセッサ１１６、ディスプレイデバイス１１８をも有する。検索エンジン１１４は、記憶媒体１１２から読み出したビデオ信号を表すストリーム中の１以上のタイプのピクチャの位置を特定する、好適なソフトウェアおよび回路を含む。制御およびデータインターフェイスが設けられ、マイクロプロセッサ１１６がコントローラ１１０と検索エンジン１１４の動作を制御することができる。メモリには好適なソフトウェアまたはファームウェアが設けられ、マイクロプロセッサ１１６は従来の動作を実行する。本発明の構成による、マイクロプロセッサ１１６のプログラムルーチンがさらに設けられる。
【００１４】
本発明の予期するところでは、検索エンジン１１４とマイクロプロセッサ１１６の全部または一部は、ビデオプロセッサ１２０であってもよいことは理解すべきである。さらに、本発明の予期するところでは、コントローラ１１０、検索エンジン１１４、およびマイクロプロセッサ１１６の全部または一部は、ビットストリームソース１２２であってもよい。一構成において、ディスプレイデバイス１１８Aは、記憶媒体１１２から読み出されビットストリームソース１２２により処理されたビデオ信号の全部または一部を復号するデコーダ１１９Aをその中に含んでいてもよい。この特定の構成においては、ビットストリームソース１２２中のデコーダ（図示せず）は、一般には、記憶媒体１１２から読み出したビデオ信号を復号しない。この特定の実施形態においては、送信チャンネル１１７が処理したビットストリームをディスプレイデバイス１１８Aとデコーダ１１９Aに供給する。これはリモードデコーダ構成ということができる。しかし、本発明はこの構成に限定されるものではなく、本発明は他の好適なシステムに適用することができることに注意すべきである。
【００１５】
動作中に、コントローラ１１０は、記憶媒体１１２からプログレッシブスキャンされた複数のオリジナルピクチャを含むビデオ信号を読み出す。便宜上、「プログレッシブスキャンされたオリジナルピクチャ」は、本出願においては「オリジナルピクチャ」と短縮して呼ぶこととする。一構成において、マイクロプロセッサ１１６がスローモーションコマンドまたはフリーズコマンド等のトリックモードのコマンドを受信すると、マイクロプロセッサ１１６は、少なくとも１つのオリジナルピクチャを選択的に繰り返し、ビデオ信号をトリックモードのビデオ信号に変換する。よって、トリックモードのビデオ信号は、オリジナルピクチャおよびオリジナルピクチャの一部のコピー、またはオリジナルピクチャの繰り返しを含む。
【００１６】
また、トリックモードコマンド中に、マイクロプロセッサ１１６は検索エンジン１１４に信号を出して、トリックモードビデオ信号中の好適な１以上のオリジナルピクチャの位置を特定する。好適なオリジナルピクチャの位置が一旦特定されると、検索エンジン１１４はマイクロプロセッサ１１６に信号を出し、マイクロプロセッサ１１６は対応するダミーの双方向の予測（B）ピクチャを生成する。マイクロプロセッサ１１６は、少なくとも１つのその対応するダミーのBピクチャを選択的に挿入し、ダミーのBピクチャをディスプレイデバイス１１８に送信する。この構成では、ダミーのBピクチャは１以上の繰り返されたオリジナルピクチャに代わって、ディスプレイデバイス１１８に送信され表示される。しかし、ピクチャの繰り返しに代わってダミーのBピクチャを挿入するのに加え、マイクロプロセッサ１１６は、記憶媒体１１２から読み出されたビデオ信号にダミーのBピクチャを挿入し、トリックモードのビデオ信号を形成することもできる。
【００１７】
本発明の他の態様において、マイクロプロセッサ１１６は、トリックモードビデオ信号のビットレートをモニターする。トリックモードビデオ信号のビットレートが所定の閾値を超えるとき、マイクロプロセッサ１１６は、検索エンジン１１４とともに、少なくとも１つのダミーピクチャがトリックモードビデオ信号に挿入される、上で説明した選択的に挿入するステップを実行する。
【００１８】
他の構成において、マイクロプロセッサ１１６は、トリックモードのビデオ信号に含まれた複数のオリジナルピクチャの１つ以上の中に含まれた情報の一部を変更し、意図された表示命令を反映させる。オリジナルピクチャが繰り返されていても、ダミーのBピクチャがビデオ信号に挿入されていても、この変更ステップを実行することができる。本発明の動作全体については、以下で詳しく説明する。
ダミーの双方向予測ピクチャを用いるトリックモード
図２は、ダミーBピクチャを用いるトリックモードを実行する１つの方法を具体的に説明するフローチャート２００を示す。一構成において、本発明はリモートデコーダ構成に適用することができる。本発明の目的のために、リモートデコーダ構成は、ビデオ信号中のピクチャの少なくとも一部がデコーダにより復号できるシステムであればどんなものでもよい。そのデコーダは、ピクチャを供給するビットストリームソースの外部にあり、その制御下にないものである。例として、ビットストリームソースは光記憶媒体プレーヤまたはレコーダであり、例えばデジタルビデオプレーヤやレコーダである。その光記憶媒体プレーヤまたはレコーダは、光記憶媒体からマルチメディアデータを読出し、このデータを送信チャンネルを介してデジタルテレビジョンデバイスに転送する。そのデジタルテレビジョンデバイスは、自分のデコーダを含んでいる。しかし、本発明はこの例に限定されないし、リモートデコーダ構成にも限定されず、本発明は他のいかなる好適なシステムまたは構成でも実施可能である。
【００１９】
ステップ２１０において、プログレッシブスキャンされた複数のオリジナルピクチャを含むビデオ信号を読み出す。ステップ２１２で、トリックモードコマンドを受信する。本発明の目的のために、トリックモードコマンドは１以上のオリジナルピクチャが繰り返されるものならいかなるコマンドでもよく、ポーズまたはフリーズコマンドまたはスローモーションコマンドを含む。判断ブロック２１３に示されたように、少なくとも１つのオリジナルピクチャを繰り返すかどうか判断する。繰り返すと判断したときは、ステップ２１４に示したように、少なくとも１つのオリジナルピクチャを選択的に繰り返す。この選択的繰り返しにより、ビデオ信号がトリックモードのビデオ信号に変換される。
【００２０】
オリジナルピクチャを繰り返さないときは、ステップ２１６に進み、１以上のダミーのBピクチャをビデオ信号に選択的に挿入し、トリックモードビデオ信号を形成する。一構成において、ダミーBピクチャを挿入することにより、スローモーションのトリックモードのビデオ信号が形成される。また、ステップ２１４によりオリジナルピクチャが繰り返されるとき、繰り返されたオリジナルピクチャを含むトリックモードビデオ信号に１以上のダミーBピクチャを選択的に挿入する。よって、トリックモードのビデオ信号は、オリジナルピクチャの繰り返し、ダミーBピクチャ、またはこれらの組み合わせを含む。ダミーのBピクチャは、あるピクチャから予測でき、動きベクトルと離散コサイン変換（DCT）係数がゼロに設定されたピクチャである。このように、ダミーBピクチャはほとんど情報を含んでいない。ダミーBピクチャの主な目的は、そのダミーBピクチャが予測されたピクチャをほとんどビットを使わないで複製または繰り返すことである。よって、トリックモードビデオ信号でオリジナルピクチャを繰り返すべきとき、ダミーBピクチャでオリジナルピクチャを置き換えることが好適である。一構成において、ダミーBピクチャで繰り返されるオリジナルピクチャの１つ以上を置き換えて、オリジナルピクチャではなくダミーBピクチャがリモートデコーダに送信されるようにする。この挿入および代替ステップにより、トリックモードビデオ信号ストリームのビットレートを管理可能なレベルに保つ役に立つ。トリックモードコマンド中には非常にたくさんのオリジナルピクチャ、特にビット数の多いものが繰返され易いので、ビデオ信号のビットレートが高くなる傾向があるからである。
【００２１】
ダミーBピクチャが予測されたピクチャは一般に参照ピクチャと呼ばれる。多数のオリジナルピクチャが参照ピクチャとなりうる。参照ピクチャはIピクチャまたはPピクチャでもよい。Bピクチャからはピクチャの予測はできないので、オリジナルピクチャがBピクチャであるとき、オリジナルピクチャの複製や繰り返しを置き換える必要はない。すなわち、オリジナルピクチャがBピクチャであるとき、繰り返されたBピクチャをダミーBピクチャで置き換える必要はない。しかし、Bピクチャを繰り返しても、トリックモードビデオ信号のビットレートが送信チャンネルの最大限度を越えることはない。Bピクチャは一般に比較的少量の符号化データしか含んでいないからである。
【００２２】
以下の例は、ダミーBピクチャがトリックモードビデオ信号にどのように挿入されるかを示す。スローモーショントリックモードコマンド等のトリックモードコマンドを受信すると、ビデオ信号中の所定数のオリジナルピクチャが、繰り返しディスプレイデバイスに送られ、トリックモードビデオ信号が生成される。ピクチャを繰り返すこのプロセスにより、トリックモードビデオ信号のビットレートが送信チャンネルの最大ビットレートを超えてしまう。特に、非常にゆっくりとしたトリックモードの場合に顕著である。
【００２３】
例えば、1/10X（1Xがノーマル再生スピード）のスローモーショントリックモードのとき、Iピクチャは9回繰り返される。この繰り返しにより送信チャンネルのビットレートが急増する。Iピクチャには比較的大量の符号化データが含まれているからである。トリックモードビデオ信号にダミーBピクチャを挿入し、繰り返されていたIピクチャをダミーBピクチャにより置き換えるようにすると、トリックモードのビデオ信号のビットレートを減らすことができる。ダミーBピクチャはIピクチャと比較して含んでいる符号化データ量がはるかに少ないからである。しかし、本発明はこの特定の例に限定されるものではない。本発明は他の好適なトリックモードに適用可能だからである。
【００２４】
一構成において、トリックモードビデオ信号に挿入されるダミーBピクチャは、１方向の予測ピクチャでもよい。１方向予測ピクチャは１つのピクチャのみから予測される。これに対して、Bピクチャは一般に別の２つのピクチャから予測される。一般的に、１方向のダミーBピクチャは、前方予測ダミーBピクチャか、後方予測ダミーBピクチャかのいずれかである。ダミーBピクチャが前方予測ダミーBピクチャの場合、ダミーBピクチャはそのダミーBピクチャの（表示順序が）前の参照ピクチャから予測される。ダミーBピクチャが後方予測ダミーBピクチャである場合、ダミーBピクチャはそのダミーBピクチャに（表示順序が）後続する参照ピクチャから予測される。１方向ダミーBピクチャは、１つのピクチャのみから予測されるので、ピクチャの繰り返しまたは複製に好適である。
【００２５】
他の実施形態において、各オリジナルピクチャはディスプレイインジケータを含んでもよい。判断ブロック２１８で判断するように、ピクチャのディスプレイインジケータを選択的に変更すべきとき、ステップ２２０に示したように、複数のオリジナルピクチャの少なくとも一部のディスプレイインジケータが選択的に変更される。
【００２６】
このディスプレイインジケータを変更することにより、オリジナルピクチャが繰り返され、ダミーBピクチャがトリックモードビデオ信号に挿入されるとき、複数のオリジナルピクチャの表示順序に反映されることは注目すべきである。しかし、このプロセスは、トリックモード中にダミーBピクチャが付加されたかどうかに関係なく実行可能である。よって、従来のトリックモードであって、ピクチャが単に繰り返されるだけでトリックモードビデオ信号にダミーBピクチャが挿入されないトリックモードでも、ディスプレイインジケータを変更するステップを実行することができる。フローチャート２００を再び参照して、ディスプレイインジケータを変更しないときは、ステップ２２２に進む。
【００２７】
一構成において、ディスプレイインジケータは時間的参照フィールドである。時間的参照フィールドは、一般的には、デジタル符号化されたピクチャのピクチャヘッダにある10ビットフィールドである。一部のデコーダは、ビデオ信号中の特定のピクチャがそのビデオ信号中の他のピクチャに対していつ表示されるかを、時間的参照フィールドにより決定する。このフィールドは通常整数値を含む。例えば、ピクチャのグループ（GOP）は一般に１５個のピクチャを含む。GOP中の最初のピクチャ、すなわちGOPヘッダの次に来るピクチャの時間的参照フィールドは整数値0である。次に表示されるピクチャの時間的参照フィールドは、整数値1である。このように、後続の各ピクチャの時間的参照フィールドの整数値は１ずつ増加する。
【００２８】
しかし、オリジナルピクチャを繰り返すときや、ダミーBピクチャをトリックモードビデオ信号に挿入するときは、オリジナルピクチャの時間的参照フィールドにより表示順序は有効ではなくなる。したがって、挿入されたダミーBピクチャや繰り返されたオリジナルピクチャに続くオリジナルピクチャの時間的参照フィールドの整数値は変更され、適当な表示順序を示すようにする。例えば、GOPの最初のピクチャがディスプレイデバイスに送信され、対応する３つのダミーBピクチャも送信されたとする（これは1/4倍のスローモーション再生である）。この時、オリジナル参照ピクチャ（表示されるGOPの最初のピクチャであると仮定する）の時間的参照フィールドの整数値は0のままである。第１のダミーBピクチャの時間的参照フィールドは整数値１に設定される。第２のダミーBピクチャの時間的参照フィールドは整数値２に設定される。第３のダミーBピクチャの時間的参照フィールドは整数値３に設定される。また、次に表示されるオリジナルピクチャの時間的参照フィールドは、元の整数値１から整数値４に変更される。
【００２９】
トリックモードが解除され、そのトリックモードによる影響で最後のGOP中の最後のピクチャの時間的参照フィールドが変更されるまで、時間的参照フィールドの整数値を１ずつ増やすこのステップが続く。次のGOPに到達すると、新しいGOPの最初の表示ピクチャの時間的参照フィールドの整数値は0である。このように、ダミーBピクチャがトリックモードビデオ信号に挿入され、オリジナルピクチャが繰り返されるときはいつも、挿入されたダミーBピクチャと繰り返されたオリジナルピクチャに続く各オリジナルピクチャの時間的参照フィールドの整数値は、トリックモードのGOPにわたって１ずつ増加され、意図された表示順序を反映する。
【００３０】
時間的参照フィールドの整数値の最大値は1,023である。GOPを形成するピクチャ（オリジナルピクチャとダミーBピクチャおよび／または繰り返しピクチャ）の時間的参照フィールドの整数値がこの値に達すると、この時間的参照フィールドは終了し、再度ゼロから始まる。例として、フリーズトリックモードが起動され長い時間続いたとする。ダミーBピクチャ（または繰り返しピクチャ）の整数値はやがて1,023になる。すぐ次に表示されるダミーBピクチャまたは繰り返しピクチャの時間的参照フィールドの整数値は、ゼロに設定される。もちろん、本発明は時間的参照フィールドを使用することに限定はされず、上で説明した実施形態のいずれにおいても、他のいかなる好適なディスプレイインジケータを変更して、意図された表示順序を反映することもできることに注意すべきである。また、終了する値は決して1,023に限定されておらず、他の好適な値を用いてもよい。フローチャート２００を再び参照して、一旦ディスプレイインジケータが選択的に変更されると、ステップ２２２に進む。トリックモードを続けるときは、ステップ２１６でトリックモードを続ける。続けないときは、ステップ２２４で終了する。
【００３１】
図３を参照して、フローチャート３００はフローチャート２００に関して説明したのとは別のトリックモードを示している。フローチャート３００に示したように、ステップ３１０から３１４はフローチャート２００のステップ２１０から２１４と実質的に同じであり、ここでは説明しない。唯一の相違点は、判断ブロック３１３の結果ピクチャを繰り返さないと判断したとき、ステップ３２４に進むことである。ステップ３１６において、トリックコマンド中にトリックモードビデオ信号のビットレートをモニターする。トリックモードの間にビットレートのモニターが必要なのは、ビデオ信号のピクチャが１回以上繰り返され、ビットレートが高くなるからである。場合によっては、ビットレートが高くなった結果、ビデオ信号を搬送している送信チャンネルの最大許容ビットレートを超えてしまう。本発明の目的のために、送信チャンネルのこの最大許容ビットレートを所定の閾値と呼ぶ。
【００３２】
決定ブロック３１８において、トリックモードビデオ信号のビットレートがこの所定の閾値を超えたかどうか判断する。ビットレートが所定の閾値に至っておらず、トリックモードが続く場合は、決定ブロック３２６に進む。ステップ３１８を再び参照して、ビットレートが所定の閾値を超えているときは、ステップ３２４に示したように、トリックモードビデオ信号にダミーBピクチャを挿入する。また、ステップ３２６と３２８に示したように、オリジナルピクチャの少なくとも一部のディスプレイインジケータを変更する。
【００３３】
ステップ３２４、３２６、３２８に示した動作はフローチャート２００に示した対応する動作と同様である。ダミーBピクチャの挿入はトリックモードビデオ信号のビットレートのモニターに基づいて、このビットレートが所定の閾値を越えたときに実行される。ステップ３２０において、トリックモードを続けるか判断する。続けるときは、ステップ３１３に進む。続けないときは、ステップ３２２でプロセスが終了する。
【００３４】
ここで開示した実施形態について本発明を説明したが、上記の説明は請求項に明確に記載された本発明の範囲を例示するものであり、この範囲を限定するものではないことは理解すべきである。
【図面の簡単な説明】
【００３５】
【図１】本発明の構成による、ダミー双方向予測ピクチャを用いてトリックモードを実行できるシステムのブロック図である。
【図２】本発明の構成による、ダミー双方向予測ピクチャを用いてトリックモードを実行する動作を示すフローチャートである。
【図３】本発明の構成による、ダミー双方向予測ピクチャを用いてトリックモードを実行する別の動作を示すフローチャートである。
【図１】
2005533436.tif 000003
【図２】
2005533436.tif 000004
【図３】
2005533436.tif 000005
【国際調査報告】
2005533436.tif 000006